(57)【要約】【課題】  外光の乱反射による視認性の低下を抑制した表示装置を提供することができる。【解決手段】  画像を表示する表示部４０ａを有する表示器４０と、表示器４０の前面側を覆うカバープレート１０と、を備えた表示装置Ｃであって、表示器４０は、表示部４０ａを覆うように表示器４０の前面側に形成される第一の低反射処理層４２を有し、カバープレート１０は、表示部４０ａの光を透過する第一の光透過部１０ｂを有するカバープレート１０の前面側に形成される第一の不透過部１３と、第一の光透過部１０ｂより大きな第二の光透過部１５ａを有するカバープレート１０の後面側に形成される第二の不透過部１５と、第二の不透過部１５の後面側及び表示部４０ａに対応するカバープレート１０の後面側に形成される第二の低反射処理層１８と、を有する。【選択図】  図３
2019060638.tif 000002
【特許請求の範囲】
【請求項１】
画像を表示する表示部を有する表示器と、
前記表示器の前面側を覆うカバープレートと、を備えた表示装置であって、
前記表示器は、前記表示部を覆うように前記表示器の前面側に形成される第一の低反射処理層を有し、
前記カバープレートは、前記表示部の光を透過する第一の光透過部を有する前記カバープレートの前面側に形成される第一の不透過部と、前記第一の光透過部より大きな第二の光透過部を有する前記カバープレートの後面側に形成される第二の不透過部と、前記第二の不透過部の後面側及び前記表示部に対応する前記カバープレートの後面側に形成される第二の低反射処理層と、を有することを特徴とする表示装置。
【請求項２】
前記第二の不透過部と前記第二の低反射処理層との間に中間層を有することを特徴とする請求項１に記載の表示装置。
【請求項３】
前記中間層は、光透光性の着色層であることを特徴とする請求項２に記載の表示装置。
【請求項４】
前記第二の低反射処理層は、可視光波長以下の間隔の微細凹凸構造を有するシート材であることを特徴とする請求項１から３のいずれかに記載の表示装置。
【請求項５】
前記第一の低反射処理層は、ＡＲコーティングであることを特徴とする請求項１から４のいずれかに記載の表示装置。
【請求項６】
前記第一の不透過部は、一部が前記表示部に重なる重なり領域を有し、
前記重なり領域と前記表示部の間に前記重なり領域を照明する導光部材を有することを特徴とする請求項１から５のいずれかに記載の表示装置。
【発明の詳細な説明】
【技術分野】
【０００１】
本発明は、車両用の表示装置に関するものである。
【背景技術】
【０００２】
従来、２個の指針式計器の間に表示器を配設した表示装置が種々提案されており、例えば特許文献１に開示されている。斯かる表示装置は、指標が表記された計器部と、後方からの光を透過する光透過部とを有するカバープレートと、計器部上を回転し、指標を指し示す指針と、光透過部の後方に配置され光透過部を介して画像を表示する表示器と、を備える。表示装置を平面視すると、計器部は、表示器が光を射出する表示部の一部と重なった重なり領域を有し、少なくとも光透過部の範囲にわたって介在しカバープレートと表示器との間を充填する透明樹脂により、カバープレートと表示器との間の外光の乱反射による視認性の低下を抑制するものである。
【先行技術文献】
【特許文献】
【０００３】
【特許文献１】特開２０１４−１６３７５５号公報
【発明の概要】
【発明が解決しようとする課題】
【０００４】
しかしながら、特許文献１に記載された表示装置は、カバープレートと表示器との間の透明樹脂が、光学透明接着剤の液剤を硬化さたたものであったり、粘着シートであったりするため、あまり厚くできないといった問題点があった。そこで本発明は、前記問題点を解消し、カバープレートと表示器との間の隙間が大きい場合でも、カバープレートから視認される表示器の視認性が良い表示装置を提供することを目的とするものである。
【課題を解決するための手段】
【０００５】
本発明は、画像を表示する表示部４０ａを有する表示器４０と、前記表示器４０の前面側を覆うカバープレート１０と、を備えた表示装置Ｃであって、前記表示器４０は、前記表示部４０ａを覆うように前記表示器４０の前面側に形成される第一の低反射処理層４２を有し、前記カバープレート１０は、前記表示部４０ａの光を透過する第一の光透過部１０ｂを有する前記カバープレート１０の前面側に形成される第一の不透過部１３と、前記第一の光透過部１０ｂより大きな第二の光透過部１５ａを有する前記カバープレート１０の後面側に形成される第二の不透過部１５と、前記第二の不透過部１５の後面側及び前記表示部４０ａに対応する前記カバープレート１０の後面側に形成される第二の低反射処理層１８と、を有することを特徴とする。
【発明の効果】
【０００６】
カバープレートの後面及び表示器の前面の反射防止層が光の乱反射を抑制するので、外光の乱反射による視認性の低下を抑制した表示装置を提供することができる。
【図面の簡単な説明】
【０００７】
【図１】本発明の一実施形態を示す正面図
【図２】図１のＡ−Ａ線に沿った断面図
【図３】図２のＺ部の拡大図
【発明を実施するための形態】
【０００８】
以下、添付図面に基づいて、本発明の一実施形態を説明する。表示装置Ｃは、カバープレート１０，指針２０，ステッピングモータ３０，液晶表示器（表示器）４０，発光素子５０，５１，導光部材６０，回路基板７０，ケース体８０等から構成されている。
【０００９】
カバープレート１０は、指針２０に指示される複数の目盛り，数字からなる指標部１０ａと、液晶表示器４０の表示部４０ａの光を透過する矩形の第一の光透過部１０ｂを有しており、ケース体８０の前面に支持されている。指標部１０ａは、正面視で指針２０周りに円弧状に配置され、その一部が表示部４０ａに重なる重なり領域１０ｃを有している。
【００１０】
図３に示すように、カバープレート１０は、基材１２，地色層（第一の不透過部）１３，保護層１４，遮光層（第二の不透過部）１５，着色層（中間層）１６，接着層１７，第二の低反射処理層１８からなる。カバープレート１０には、指針２０が貫通される円形の孔部１９が形成されている。
【００１１】
基材１２は、透明又は半透明の透光性（半透光性を含む）を有する平板状の合成樹脂製の部材である。具体的に、基材１２は、ポリカーボネート系樹脂（光の屈折率は約１．６）、アクリル系樹脂（光の屈折率は約１．４９）、シリコーン系樹脂（光の屈折率は約１．５）等を用いて形成される。
【００１２】
地色層１３は、基材１２の前面に遮光性の黒色インキを印刷したものである。指標部１０ａ，第一の光透過部１０ｂ，重なり領域１０ｃは、黒色インキを抜き印刷され、この地色層１３に形成される。
【００１３】
保護層１４は、基材１２の前面の略全体を覆うように透光性の微細な粒子を含有したインキを印刷したものである。これにより保護層１４は、凹凸パターンを有する膜を被膜し、基材１２及び地色層１３を保護するとともに、光の散乱効果を用いて像の映り込みを防止するＡＧ（Ａｎｔｉ  Ｇｌａｒｅ）効果を有する。
【００１４】
遮光層１５は、基材１２の後面に遮光性の黒色インキを印刷したものである。遮光層１５において、地色層１３の第一の光透過部１０ｂに相当する箇所は、地色層１３よりも黒色インキを大きく抜き印刷され、地色層１３により前面から視認できないように形成される第二の光透過部１５ａを有する。尚、地色層１３の指標部１０ａ，重なり領域１０ｃに相当する箇所も、地色層１３のそれぞれよりも黒色インキを大きく抜き印刷され、地色層１３により前面から視認できないように形成されている。
【００１５】
着色層１６は、基材１２の後面に半透光性のスモークインキを、第二の光透過部１５ａを覆うように形成されるとともに、その外周が遮光層１５と重なるように印刷されたものである。
【００１６】
第二の低反射処理層１８は、着色層１６より大面積の、片面がモスアイ（Ｍｏｔｈ−ｅｙｅ：蛾の目）構造を有するシート材である。モスアイ構造は、反射防止処理を行う物品の表面にＡＧフィルムで形成される凹凸パターンよりも更に微細な可視光波長以下（例えば、４００ｎｍ以下）の間隔の凹凸パターンを隙間なく配列することで、外界（空気）と物品表面との境界における屈折率の変化を擬似的に連続なものとするものであり、屈折率界面に関係なく光のほぼ全てを透過させ、該物品の表面における光反射をほぼなくすことができる。第二の低反射処理層１８は、モスアイ構造の反対側の面に有する透明な接着層１７を介して着色層１６の後面に接着されている。
【００１７】
指針２０は、図２に示すように、指針基部２１と、指示部２２と、指針キャップ２３とを有している。指針２０は、回動中心Ｂを中心軸として、ステッピングモータ３０により回動される。
【００１８】
指針基部２１は、透明な樹脂からなるものであり、指示部２２と一体に形成されている。指針基部２１は、発光素子５０から照射される照明光を指示部２２に向けて反射させる反射面２１ａを有している。指示部２２は、指針基部２１から半径方向に伸長する形状になっており、カバープレート１０の指標部１０ａを指示する。指針キャップ２３は、不透明な樹脂からなり、図示しない係止爪によって指針基部２１に係止されている。指針キャップ２３は、正面視で円形になっており、指針基部２１を覆う。
【００１９】
ステッピングモータ３０は、回路基板７０に搭載されており、回動中心Ｂを中心軸として指針２０を回動させる。ステッピングモータ３０の軸受け部３２は、回路基板７０に形成された貫通孔７１に挿通されている。ステッピングモータ３０は、軸受け部３２に挿入される回動軸３１を有しており、回動軸３１の端部に指針基部２１のボス部２１ｂが装着される。
【００２０】
指針式計器Ｍは、カバープレート１０，指針２０，ステッピングモータ３０，導光部材６０からなるものであり、カバープレート１０の指標部１０ａを指示部２２で指示することにより、車両の速度やエンジン回転数を表示する。
【００２１】
液晶表示器４０は、図３に示すように、ＴＦＴ型の液晶表示パネル４１と、この液晶表示器４０を背後から透過照明するバックライト（図示せず）とを備えている。液晶表示器４０は、２個の指針式計器Ｍの間に配置されている。液晶表示パネル４１は、矩形をした上下２枚のガラス基材４１ａの間に液晶材を挟み込み封入した液晶セルと、その両面にそれぞれに偏光板４１ｂを貼り合わせたパネルである。
【００２２】
液晶表示器４０は、液晶表示パネル４１に矩形の表示画面を有しており、その表示画面に種々の車両情報（例えば、ナビゲーション情報）を表示する。液晶表示器４０の一部はカバープレート１０の重なり領域１０ｃによって隠され、表示画面の一部の領域（重なり領域１０ｃ）は視認されないが、車両情報は、カバープレート１０によって隠されない領域である表示部４０ａに表示されるため、視認可能である。
【００２３】
液晶表示器４０は、表示部４０ａを覆うように液晶表示パネル４１の前面側に形成される第一の低反射処理層４２を有する。第一の低反射処理層４２は、偏光板４１ｂの前面に偏光板４１ｂと異なる屈折率を有する膜を被膜し、偏光板４１ｂの表面で反射した光と被膜した膜の表面で反射した光との干渉効果によって反射を低減させるＡＲ（Ａｎｔｉ  Ｒｅｆｌｅｃｔｉｏｎ）コーティングを施した面である。ＬＲ（Ｌｏｗ  Ｒｅｆｌｅｃｔｉｏｎ）コーティングであってもよい。
【００２４】
発光素子５０，５１は、それぞれ１個又は２個以上の発光ダイオード（ＬＥＤ）からなるものであり、回路基板７０の前面に実装されている。発光素子５０は、貫通孔７１の周辺部に配置され、指針２０に向けて照明光を発する。発光素子５１は、発光素子５０の周辺部に配置され、導光部材６０の受光面６１に向けて、照明光を発する。
【００２５】
回路基板７０は、ガラスエポキシ樹脂からなる基材に配線パターンを形成した硬質配線板からなるものである。回路基板７０には、ステッピングモータ３０，発光素子５０，５１等が搭載（実装）される。回路基板７０は、液晶表示器４０の後面側に配置される。
【００２６】
導光部材６０は、透光性の樹脂からなるものであり、発光素子５１と対向し発光素子５１が発した照明光を受光する受光面６１と、受光面６１からカバープレート１０の方へ延びる導光部６２と、導光部６２からの照明光を外周側に向けて反射させる反射面６３と、この反射面６３で反射された照明光をカバープレート１０側へ反射する出射部６４と、を有している。
【００２７】
導光部材６０は、指針２０の回動中心Ｂの周りに略円筒状になっており、出射部６４はカバープレート１０の指標部１０ａ及び重なり領域１０ｃの背面に位置する。出射部６４は、重なり領域１０ｃの背面では、カバープレート１０と液晶表示器４０とに挟まれている。また、導光部材６０は、図示しない弾性係止片によってケース体８０に係止されている。
【００２８】
このように形成されることにより、遮光層１５の第二の光透過部１５ａの端面により形成される段差は、地色層１３により前面から視認できない位置に形成されているため、第二の低反射処理層１８を貼り付ける際に前記段差により気泡等が発生しても、視認できなくすることができる。
【００２９】
また、カバープレート１０の後面の第二の低反射処理層１８と、液晶表示器４０の前面の第一の低反射処理層４２とにより、カバープレート１０と液晶表示器４０との間の外光の乱反射による視認性の低下を抑制することができる。
【００３０】
また、遮光層１５と第二の低反射処理層１８との間に着色層１６が介在しているため、前記段差が滑らかになり、第二の低反射処理層１８を貼り付ける際の気泡等の発生を低減することができる。
【００３１】
また、第二の低反射処理層１８はモスアイ構造になっているため、第一の光透過部１０ｂに入射した外光がカバープレート１０を通過する際に、第二の低反射処理層１８の界面での外光の乱反射による視認性の低下をより抑制することができる。
【００３２】
また、第一の低反射処理層４２はＡＲコーティングになっているため、カバープレート１０を通過した光は反射を低減させられるので、第一の低反射処理層４２の界面での外光の乱反射による視認性の低下をより抑制することができる。
【００３３】
また、着色層１６はスモークインキになっているため、第一の光透過部１０ｂに入射した外光はカバープレート１０を通過する際に減衰されるので、第二の低反射処理層１８及び第一の低反射処理層４２の界面での外光の乱反射による視認性の低下をより抑制することができる。
【００３４】
また、導光部材６０は、指針２０の回動中心Ｂと垂直な半径方向に照明光を照射してカバープレート１０を背後から照明する構造になっており、カバープレート１０の一部が液晶表示器４０に重なる重なり領域１０ｃであっても、カバープレート１０を照明することができる。
【００３５】
尚、本発明の表示装置Ｃを上記した実施形態の構成を例に挙げて説明したが、本発明はこれに限定されるものではなく、他の構成においても、本発明の要旨を逸脱しない範囲において種々の改良、並びに設計の変更が可能なことは勿論である。例えば、バックライトを備えた液晶表示器４０は自発光型の有機ＥＬ表示器であっても良い。
【産業上の利用可能性】
【００３６】
本発明は、車両用の表示装置に関し、例えば、自動車やオートバイ、あるいは農業機械や建設機械を備えた移動体に搭載される車両用の表示装置に適用することができる。
【符号の説明】
【００３７】
１０  カバープレート
１０ｂ  第一の光透過部
１０ｃ  重なり領域
１３  地色層（第一の不透過部）
１５  遮光層（第二の不透過部）
１５ａ  第二の光透過部
１６  着色層（中間層）
１８  第二の低反射処理層
４０  液晶表示器（表示器）
４０ａ  表示部
４２  第一の低反射処理層
６０  導光部材
Ｃ  表示装置
【図１】
2019060638.tif 000003
【図２】
2019060638.tif 000004
【図３】
2019060638.tif 000005